(57)【特許請求の範囲】
【請求項１】
多数のステープルを収容するマガジンと、該マガジン内に収容されたステープルを綴り用紙に向けて打ち出すドライバを備えたハンドル部および、前記マガジンから打ち出されて綴り用紙を貫通したステープルの脚部を綴り用紙の裏面に沿って屈曲させるクリンチャを備えかつアームカバーに覆われた金属製クリンチャアームとを各々の後端部において回動自在に支持させたステープラーにおいて、
前記クリンチャアームの両側壁間に、クリンチャを収容する開口を備えた合成樹脂製の用紙載置部材の前部を上下動可能に配置し、バネにより上方に付勢する一方、前記用紙載置部材の後端から下方に突出したフック片をクリンチャアームに形成した開口の後端縁の下面側と係合させるとともに、前記用紙載置部材の後端に形成した凸部を前記開口の後端縁の上面側と係合させることにより、前記用紙載置部材を前記クリンチャアームに揺動自在に組み付けた
ことを特徴とするステープラー。
【発明の詳細な説明】
【０００１】
【発明の属する技術分野】
本発明は、金属製部品と合成樹脂製部品の組み付けが容易であり、更に、組み付けられた状態のこれらの部品を修理又は廃棄時に容易に分解することでき、分別廃棄や分離後の再組み付けが容易にできるステープラーに関する。
【０００２】
【従来の技術】
コ字状に成形されたステープルの脚部を綴じ用紙を貫通させて綴じ用紙の裏面側で折り曲げして綴じ用紙を綴じるようにしたステープラーでは、ステープルを収容するマガジンと、マガジン内に装填されたステープルを綴り用紙に向けて打ち出すドライバを備えたハンドル部および前記マガジンから打ち出されて綴り用紙を貫通したステープルの脚を屈曲させるクリンチャを備えたクリンチャ部とがそれぞれの後端部において回動自在に支持されて構成されている。
【０００３】
上記通常のステープラーにおいては、部品の寸法精度及び摩耗等に対する耐久性を維持させるためと、ステープラーの操作時の変形に対する剛性を付与するためにハンドル部、マガジン部及びクリンチャ部の各部を構成する主要部品が金属材料で構成されており、更にこれらの主要部品とともに重量やコストの低減のために合成樹脂性の成形部品が前記金属製部品と組み合わされて構成されている。
【０００４】
そして、ステープルの脚が綴じ用紙を貫通した後に、脚を綴じ用紙の裏面に沿わせて密着するように折り曲げるようにしたステープラーにおいては、前記クリンチャ部が、ステープルの脚が綴じ用紙を貫通するまでの間綴じ用紙をクリンチャに対して上方位置に支持させておくための用紙載置部材や、この用紙載置部材を上方位置に保持させるスライダを有しており、これらの合成樹脂によって形成された部品が、金属により形成されているクリンチャアームに組み付けられて構成されている。
【０００５】
従来のクリンチャアーム部の組み付け構造は、図７に示すように、ステープルの脚部を屈曲させるクリンチャ５０を備えたクリンチャアーム５１が綴じ操作時の剛性を維持させるために金属材料で形成されており、該クリンチャアーム５１は長手方向の両側縁に沿って上面側に立ち上がり形成された側壁５２が形成され、この両側壁５２の間に前記クリンチャ５０を収容する開口５３が形成されるとともにプラスチック材により形成された用紙載置部材５４が収容されるように組み付けられる。用紙載置部材５４の両側縁に沿って下向きに形成されている側壁５５の後端部が後方へ延長されたバネ片５６に形成され、このバネ片５６の外側面に形成された支持突起５７がクリンチャアーム５１の側壁５２に形成された支持穴５８と係合されることによって組み付けられる。また、用紙載置部材５４は前記支持突起５７を中心として回動できるようにされており、回動範囲を規制するため、前記側壁５５に形成された突起５９が、クリンチャアーム５１の側壁５２に形成された開口６０内に遊嵌されて構成されている。
【０００６】
【発明が解決しようとする課題】
上記構造では、用紙載置部材５４をクリンチャアーム５１へ組み付けする際に、バネ片５６を内側に変形させて支持突起５７の幅を縮めてクリンチャアーム５１の側壁５２間に挿入し、また、用紙載置部材５４の側壁５５を押圧させて突起５９を内側に変位させるようにして側壁５２間に押し込む操作をしなければならず、組み付けの作業が困難で組み付け工数を多くしてコストアップとなっていた。また、突起５９が内側へ変位し易くするために用紙載置部材５４の上面の両側に幅の狭いスリット６１を形成する等用紙載置部材５４自体の形状を複雑化してしまうことになっていた。
【０００７】
更に、金属材料とプラスチック材料により構成されているステープラーは、これを廃棄する時には、材料毎に分解してそれぞれ分別して廃棄する必要があり、上記のように金属で構成されたクリンチャアーム５１とプラスチックで構成された用紙載置部材５４を分解する必要があるが、用紙載置部材５４のバネ片５６に形成された支持突起５７と支持穴５８とが係合されており、更に、用紙載置部材５４の側壁に形成された突起５９とクリンチャアーム５１の開口６０を係合させて組み付けられている場合には、簡単には分離できず分別して廃棄する作業が困難となる。特に一般のユーザーが廃棄しようとする場合に分離方法がわからず、分別されないで廃棄されることが多かった。
【０００８】
本発明は、クリンチャアームに対する用紙載置部材の組付けを容易にするとともに、金属と合成樹脂で構成されたクリンチャアームと用紙載置部材を専用の工具を使用することなく簡単に分離することができ、分別廃棄が容易にできるステープラーを提供することを課題とする。
【０００９】
【課題を解決するための手段】
上記課題を解決するため本発明のステープラーは、多数のステープルを収容するマガジンと、該マガジン内に収容されたステープルを綴り用紙に向けて打ち出すドライバを備えたハンドル部および、前記マガジンから打ち出されて綴り用紙を貫通したステープルの脚部を綴り用紙の裏面に沿って屈曲させるクリンチャを備えかつアームカバーに覆われた金属製クリンチャアームとを各々の後端部において回動自在に支持させたステープラーにおいて、前記クリンチャアームの両側壁間に、クリンチャを収容する開口を備えた合成樹脂製の用紙載置部材の前部を上下動可能に配置し、バネにより上方に付勢する一方、前記用紙載置部材の後端から下方に突出したフック片をクリンチャアームに形成した開口の後端縁の下面側と係合させるとともに、前記用紙載置部材の後端に形成した凸部を前記開口の後端縁の上面側と係合させることにより、前記用紙載置部材を前記クリンチャアームに揺動自在に組み付けたことを特徴とする。
【００１０】
【発明の実施の形態】
以下、図に示す実施例に従って本発明の実施の形態を説明する。図１は本発明のステープラーの実施例を示すもので、多数のステープルを収容可能に上面が開放された箱状に形成されているマガジン１０と、前記マガジン１０内に装填されたステープルを綴り用紙に向けて打ち出すドライバ１１を備えたハンドル部１２、および前記マガジン１０から打ち出されて綴り用紙を貫通したステープルの脚部先端部を綴り用紙の裏面に沿って屈曲させるクリンチャを先端側に備えたクリンチャ部１３がそれぞれの後端部において支持軸１５によって回動自在に支持されている。
【００１１】
マガジン１０の前端部には収容された先頭のステープルをマガジン１０の下面に配置される綴じ用紙に向けて打ち出す打出口１６が形成されており、更にマガジン１０内にはマガジン１０内に収容されたステープルを前記打出口１６に向けて押圧付勢させるプッシャ１７が配置されている。プッシャ１７はマガジン１０内に配置されたガイドロッド１８に沿って摺動自在に支持されており、プッシャ１７の後面側に配置されたプッシャバネ１９によりマガジン１０の前方へ向けて付勢されている。
【００１２】
ハンドル部１２の上面側に配置されている操作ハンドル２０を押圧操作することによりドライバ１１を介してマガジン１０内のステープルが打出口１６から打ち出されて、ステープルの脚部がマガジン１０とクリンチャ部１３の間に配置された綴じ用紙を貫通し、綴じ用紙を貫通したステープルの脚部が前記クリンチャ部１３によって綴じ用紙の裏面に沿って折り曲げられて綴じ用紙が綴じられるようにされている。クリンチャ部１３は、金属製の板材を断面がコ字形となるように折り曲げ成型して形成されたクリンチャアーム１４と、このクリンチャアーム１４の両側面と下面とを覆うようにクリンチャアーム１４に組み付けられたアームカバー２１を備えている。
【００１３】
更に前記クリンチャ部１３には、綴じ用紙を貫通したステープルの脚を綴じ用紙の裏面に沿わせて折り曲げさせるクリンチャ２２と、このクリンチャ２２を収容する開口を備えた用紙載置部材２４、及び、該用紙載置部材２４とクリンチャアーム１４の間に配置されているスライダ２８が設けられている。クリンチャ２２は、前記アームカバー２１の前端部分に上下方向に移動できるように配置されており、該クリンチャ２２の上端面にはステープルの脚部と係合して脚部を綴じ用紙の裏面に沿って互いに内側に向けて折り曲げるように誘導させるクリンチャ溝２３が形成されている。前記クリンチャアーム１４の上面にクリンチャアーム１４に対して揺動自在に支持されている用紙載置部材２４が配置されており、この用紙載置部材２４の前部に形成された開口２５内に前記クリンチャ２２が収容されており、上下方向への移動はアームカバー２１の溝で案内されている。更にクリンチャ２２とアームカバー２１の底面との間に介在されているバネ２６によってクリンチャ２２は上方へ向けて付勢されている。
【００１４】
用紙載置部材２４とクリンチャアーム１４との間に介在されているバネ２７によって用紙載置部材２４は上方へ向けて付勢されており、更に、用紙載置部材２４とクリンチャアーム１４との間にはクリンチャアーム１４に沿って前後方向にスライド可能なスライダ２８が介在されている。該スライダ２８はステープラーによる綴じ操作の開始時にはバネ２９によって前方に配置されており、スライダ２８に形成された支持部２８ａが用紙載置部材２４の下面に進入して用紙載置部材２４が下方向へ揺動するのを阻止している。この状態で、用紙載置部材２４はアームカバー２１に対して上方位置に保持されており、クリンチャ２２の上端面のクリンチャ２３溝が用紙載置部材２４に形成された開口２５の上端縁に望んだ位置に配置されている。
【００１５】
図２に示すように、用紙載置部材２４とスライダ２８はクリンチャアーム１４の両側縁に沿って立ち上がり形成された側壁３０の間に配置されており、用紙載置部材２４は後部を中心として前方部分がクリンチャアーム１４に対して上下方向に揺動可能に支持されている。図３及び図４に示すように、用紙載置部材２４の下面側には、用紙載置部材２４の下面より更に下方に突出されるとともに後方側に向いたフック片３１が形成されており、このフック片３１がクリンチャアーム１４の底面に形成されている開口３２の後端縁３３の下面側と係合し、更に用紙載置部材２４の側壁３４の後端部下面に形成された凸部３５が開口３２の後端縁３３の上面側と係合することによって、用紙載置部材２４の後部がクリンチャアーム１４に揺動可能に支持されている。用紙載置部材２４に形成された上記フック片３１と凸部３５は、用紙載置部材２４の後部をクリンチャアーム１４に対して揺動可能に係合させるための狭持部材の１つの実施形態である。
【００１６】
更に、用紙載置部材２４の前部には後方側に向けて突出形成された係止片３７が形成されており、該係止片３７がクリンチャアーム１４の側壁３０の前端に前方に向けて突出形成されているストッパ片３６の下側に配置されることにより用紙載置部材２４の前端部の上方への揺動範囲が規制されるようにしている。スライダ２８の下面には、スライダ２８の下面より更に下方に突出された左右一対のフック片３８、３９が形成されており、フック片３８がクリンチャアーム１４の底面に形成された開口４０の前後方向に沿った側縁４１と係合し、フック片３９が前記開口３２に形成された側縁４２と係合することによって、クリンチャアーム１４の前後方向にスライド可能に支持される。
【００１７】
図５及び図６により、クリンチャアーム１４に対しての用紙載置部材２４とスライダ２８の組み付け及び分解の操作を説明する。図５に示すように、スライダ２８をクリンチャアーム１４へ組み付けるには、図中の矢印のようにスライダ２８をクリンチャアーム１４の側壁３０間で、フック片３８、３９がそれぞれ開口４０、３２を貫通してクリンチャアーム１４の裏面側に突出するように上方から装着し、その後スライダ２８をクリンチャアーム１４に対して前方へ向けて移動させることにより、フック片３８、３９が開口４０の側縁４１及び開口３２の側縁４２とそれぞれ係合されて、スライダ２８は前後方向にスライド可能に組み付けられる。分解時には、上記と逆にスライダ２８を後方側に移動させることによりフック片３８，３９と開口４０の側縁４１及び開口３２の側縁４２との係合が解除してスライダ２８をクリンチャアーム１４に対して上方へ分離させることができる。
【００１８】
クリンチャアーム１４に対しての用紙載置部材２４の組付けは、スライダ２８を組み付けした後で、図６の矢印に示すように用紙載置部材２４のフック片３１がクリンチャアーム１４の開口３２を裏面側に貫通させるようにクリンチャアーム１４の側壁３０の間に上方から装着した後、用紙載置部材２４をクリンチャアーム１４に対して後方へ移動させることによって、フック片３１と凸部３５とが開口３２の後端縁３３に上下面で係合され、更にクリンチャアーム１４のストッパ片３６の下側に用紙載置部材２４の係止片３７が進入して組み付けが完了する。なお、上記用紙載置部材２４の組み付け時には用紙載置部材２４を上方へ付勢させるバネ２７が配置される。組み付けした状態ではバネの弾力により用紙載置部材２４が上方へ付勢されフック片３１と係止片３７がこの付勢力を受ける、一方、用紙載置部材２４の開口２５内にはクリンチャ２２が収容され、前記クリンチャ２２はアームカバー２１の溝でガイドされるため、用紙載置部材２４はクリンチャアーム１４に対して前後動することがなく、組み付けが維持される。
【００１９】
用紙載置部材２４をクリンチャアーム１４から分解する際には、アームカバー２１を外した後、用紙載置部材２４を前方側に移動させることにより、用紙載置部材２４のフック片３１と凸部３５とがクリンチャアーム１４の開口３２の後端縁３３と離反し、同時に用紙載置部材２４の係止片３７がクリンチャアーム１４のストッパ片３６の前方に配置されるので、用紙載置部材２４をクリンチャアーム１４の上方へ分離させることができる。
【００２０】
【発明の効果】
以上のように本発明によれば、用紙載置部材の前部はクリンチャアームの両側壁間に配置し、バネにより上方に付勢する一方、後部は、フック片をクリンチャアームの開口内に嵌合させた状態で後方に移動させることにより組み付けが可能であり、組み付け工数の低減が可能である。また、分解時にも用紙載置部材をクリンチャアームに対して前方へ移動させることによってフック片と開口の後端縁間の係合状態を分離できるので、特別に解体用の専用工具を使用せずに、金属部品と合成樹脂部品とを分離して廃棄することができる。
【図面の簡単な説明】
【図１】  本発明の実施例を示すステープラーの縦断側面図
【図２】  図１のステープラーのクリンチャ部の組み付け状態の斜視図
【図３】  図１のステープラーのクリンチャ部を分解した状態の斜視図
【図４】  組み付けられた状態のクリンチャ部の裏面側を示す斜視図
【図５】  クリンチャアームとスライダの組み付け工程を示す断面図
【図６】  クリンチャアームと用紙載置部材の組み付け工程を示す断面図
【図７】  従来のクリンチャアームと用紙載置部材の構造を示す斜視図
【符号の説明】
１３  クリンチャ部
１４  クリンチャアーム
２１  アームカバー
２２  クリンチャ
２３  クリンチャ溝
２４  用紙載置部材
２５  開口
２８  スライダ
３０  側壁
３１  フック片
３２  開口
３３  後端縁
３４  側壁
３５  凸部
３６  ストッパ片
３７  係止片
３８  フック片
３９  フック片
４０  開口
４１  側縁
４２  側縁
【図１】
0003925634.tif 000002
【図２】
0003925634.tif 000003
【図３】
0003925634.tif 000004
【図４】
0003925634.tif 000005
【図５】
0003925634.tif 000006
【図６】
0003925634.tif 000007
【図７】
0003925634.tif 000008